(57)【要約】【課題】従来の蛍光灯型ＬＥＤ照明施設では、灯具設置用の取付け具を廃棄物として出さないという特徴はあるものの、短い端子をソケットに挿入しただけで保持しているので、ＬＥＤ灯からの放熱により灯具のケースが曲がるなどの変形を起こすと、端子がソケットから外れＬＥＤ灯が落下するという問題があった。本願発明の課題は、灯具設置用の取付け具を廃棄物として出すことなく、ＬＥＤ灯が変形しても落下しないよう強固に把持し、さらに任意形状のＬＥＤ灯が取付け可能なＬＥＤ灯取付け具及びこれを備えた照明器具を提供することにある。【解決手段】本願発明のＬＥＤ灯取付け具は、既設直管型の灯具を取り外した空間を利用してＬＥＤ灯を取付けるためのＬＥＤ灯取付け具であって、既設灯具の取付け用器具に装着するための装着部と、ＬＥＤ灯を着脱可能に把持可能な灯具用開口部と、を備えたものである。【選択図】図１
2011029141.tif 000002
【特許請求の範囲】
【請求項１】
ＬＥＤが配列された照明灯本体と、
前記照明灯本体のＬＥＤ光照射側に被せた半透光性のカバーを備え、
前記照明灯本体は放熱部を備え、
前記照明灯本体の軸方向端部にソケットへの装着用ピンを設けない取付け端部を備えたことを特徴とするＬＥＤ灯。
【請求項２】
請求項１記載のＬＥＤ灯において、
照明灯本体の内周面に反射膜又は反射材が設けられ、
カバーはＬＥＤからの照射光が面状に照射される曲面であることを特徴とするＬＥＤ灯。
【請求項３】
既設の蛍光灯設置用器具から取り外した既設の直管型蛍光灯に代えてＬＥＤ灯を取り付け可能なＬＥＤ灯取付け具であって、
既設の蛍光灯設置用器具に装着可能な装着部と、前記ＬＥＤ灯の一部を嵌合可能な嵌合部と、を備え、
前記装着部は、前記蛍光灯設置用器具のうち、直管型蛍光灯が取り外された後の反射板に、装着可能であり、
前記嵌合部は、ＬＥＤが軸方向に設置された直管型ＬＥＤ灯の軸方向端部を嵌合可能であることを特徴とするＬＥＤ灯取付け具。
【請求項４】
既設の蛍光灯設置用器具から取り外した既設の直管型蛍光灯に代えてＬＥＤ灯を取り付け可能なＬＥＤ灯取付け具であって、
既設の蛍光灯設置用器具に装着可能な装着部と、前記ＬＥＤ灯の一部を嵌合可能な嵌合部と、を備え、
前記装着部は、二つの挟持材を有し、
前記既設の蛍光灯設置用器具のうち、直管型蛍光灯が取り外された後の反射板を、前記二つの挟持材で挟むことによって、前記既設の蛍光灯設置用器具に装着可能であることを特徴とするＬＥＤ灯取付け具。
【請求項５】
請求項１又は請求項２記載のＬＥＤ灯と、
既設の蛍光灯設置用器具から取り外した既設の直管型蛍光灯に代えてＬＥＤ灯を取り付け可能なＬＥＤ灯取付け具と、を備え、
前記ＬＥＤ灯取付け具は、既設の蛍光灯設置用器具に装着可能な装着部と、ＬＥＤ灯の一部を嵌合可能な嵌合部を有し、
前記装着部は、前記蛍光灯設置用器具のうち、直管型蛍光灯が取り外された後の反射板、又は直管型蛍光灯用ソケットが取り外されたソケット係止具に、装着可能であり、
前記嵌合部は、ＬＥＤが軸方向に設置された直管型ＬＥＤ灯の軸方向端部を嵌合可能であることを特徴とするＬＥＤ照明装置。
【請求項６】
請求項１又は請求項２記載のＬＥＤ灯と、
既設の蛍光灯設置用器具から取り外した既設の直管型蛍光灯に代えてＬＥＤ灯を取り付け可能なＬＥＤ灯取付け具と、を備え、
前記ＬＥＤ灯取付け具は、既設の蛍光灯設置用器具に装着可能な装着部と、ＬＥＤ灯の一部を嵌合可能な嵌合部を有し、
前記装着部は、二つの挟持材を有するとともに、前記蛍光灯設置用器具のうち、直管型蛍光灯が取り外された後の反射板、又は直管型蛍光灯用ソケットが取り外されたソケット係止具を、前記二つの挟持材で挟むことによって、前記既設の蛍光灯設置用器具に装着可能であることを特徴とするＬＥＤ照明装置。
【発明の詳細な説明】
【技術分野】
【０００１】
本願発明は、ＬＥＤ灯と、ＬＥＤ灯を取付け可能なＬＥＤ灯取付け具と、ＬＥＤ灯取付け具にＬＥＤ灯を取付けたＬＥＤ照明装置に関する。
【背景技術】
【０００２】
職場や家庭など、我々の日常生活にとって人工照明は今や欠かすことのできない電気製品である。これまで、人工照明に利用される灯具は、白熱灯や蛍光灯が主流であったが、これら白熱灯や蛍光灯には寿命があり、定期的に交換する必要があった。
【０００３】
昨今、あらゆる場面で発光ダイオード（Ｌｉｇｈｔ  Ｅｍｉｔｔｉｎｇ  Ｄｉｏｄｅともいい、ここでは以下、「ＬＥＤ」という。）の利用が広がり、人工照明にもこのＬＥＤが利用されるようになった。ＬＥＤは、白熱灯や蛍光灯に比べるとはるかに寿命が長く、紫外線をほとんど含まない、灯具の小型化、軽量化が可能であり、省電力である、など様々な長所を備えている。
【０００４】
昨今のほとんどの職場や家庭では既に白熱灯や蛍光灯を用いた照明器具が設置されている。これらを新たに、ＬＥＤあるいはＬＥＤモジュールを使用したＬＥＤ灯に交換するとなると、白熱灯や蛍光灯といった灯具設置用の取付け具を天井等から取外す必要があり、さらにこれらを廃棄物として処分しなければならない。我が国では廃棄物処分場が飽和状態に近付きつつあり、全国規模で灯具設置用の取付け具が廃棄物として発生することは望ましくない。
【０００５】
そこで特許文献１では、既存の直管型の蛍光灯をＬＥＤ灯に交換する場合に、蛍光灯取付け具そのままの状態で残し、それをＬＥＤ灯取付け具として利用することが提案されている。
【先行技術文献】
【特許文献】
【０００６】
【特許文献１】特開２００１−３５１４０２号公報
【発明の概要】
【発明が解決しようとする課題】
【０００７】
特許文献１では、蛍光灯取付け具を廃棄物として出さないという利点はあるものの、直管型のＬＥＤ灯の両端に端子を設け、この端子を既設の両端のソケットに嵌合させてＬＥＤ灯を支持する構造となっているため次のような問題があった。すなわち、短い端子をソケットに挿入しただけで保持しているので、ＬＥＤ灯からの放熱により灯具ケースが曲がるなどの変形を起こすと、端子がソケットから外れＬＥＤ灯が落下するという問題があった。また、両端のソケットを利用してＬＥＤ灯を保持するため、基本的には既設の直管型蛍光灯の形状と同様のＬＥＤ灯しか取付けられなかった。さらに、既設の蛍光灯取付け具を利用してＬＥＤ灯を取付けるため、蛍光灯が設置されていない天井や壁面などではＬＥＤ灯を取付けることができなかった。
【０００８】
本願発明の課題は、蛍光灯取付け具を廃棄物として出すことなく、ＬＥＤ灯が変形しても落下しないようにＬＥＤ灯を強固に把持でき、任意形状のＬＥＤ灯を取付け可能なＬＥＤ灯取付け具と、ＬＥＤ灯取付け具にＬＥＤ灯を取付けたＬＥＤ照明装置と、その照明装置に適するＬＥＤ灯を提供することにある。
【課題を解決するための手段】
【０００９】
本願発明のＬＥＤ灯は、ＬＥＤが配列された照明灯本体と、前記照明灯本体のＬＥＤ光照射側に被せた半透光性のカバーを備え、前記照明灯本体は放熱部を備え、前記照明灯本体の軸方向端部にソケットへの装着用ピンを設けない取付け端部を備えたものである。
【００１０】
この場合、照明灯本体の内周面に反射膜又は反射材が設けられ、カバーはＬＥＤからの照射光が面状に照射される曲面であるＬＥＤ灯とすることもできる。
【００１１】
本願発明のＬＥＤ灯取付け具は、既設の蛍光灯設置用器具から取り外した既設の直管型蛍光灯に代えてＬＥＤ灯を取り付け可能なＬＥＤ灯取付け具であって、既設の蛍光灯設置用器具に装着可能な装着部と、前記ＬＥＤ灯の一部を嵌合可能な嵌合部と、を備え、前記装着部は、前記蛍光灯設置用器具のうち、直管型蛍光灯が取り外された後の反射板に、装着可能であり、前記嵌合部は、ＬＥＤが軸方向に設置された直管型ＬＥＤ灯の軸方向端部を嵌合可能なものである。
【００１２】
本願発明のＬＥＤ灯取付け具は、既設の蛍光灯設置用器具から取り外した既設の直管型蛍光灯に代えてＬＥＤ灯を取り付け可能なＬＥＤ灯取付け具であって、既設の蛍光灯設置用器具に装着可能な装着部と、前記ＬＥＤ灯の一部を嵌合可能な嵌合部と、を備え、前記装着部は、二つの挟持材を有し、前記既設の蛍光灯設置用器具のうち、直管型蛍光灯が取り外された後の反射板を、前記二つの挟持材で挟むことによって、前記既設の蛍光灯設置用器具に装着可能なものである。
【００１３】
本願発明のＬＥＤ照明装置は、請求項１又は請求項２記載のＬＥＤ灯と、既設の蛍光灯設置用器具から取り外した既設の直管型蛍光灯に代えてＬＥＤ灯を取り付け可能なＬＥＤ灯取付け具と、を備え、前記ＬＥＤ灯取付け具は、既設の蛍光灯設置用器具に装着可能な装着部と、ＬＥＤ灯の一部を嵌合可能な嵌合部を有し、前記装着部は、前記蛍光灯設置用器具のうち、直管型蛍光灯が取り外された後の反射板、又は直管型蛍光灯用ソケットが取り外されたソケット係止具に、装着可能であり、前記嵌合部は、ＬＥＤが軸方向に設置された直管型ＬＥＤ灯の軸方向端部を嵌合可能なものである。
【００１４】
本願発明のＬＥＤ照明装置は、請求項１又は請求項２記載のＬＥＤ灯と、既設の蛍光灯設置用器具から取り外した既設の直管型蛍光灯に代えてＬＥＤ灯を取り付け可能なＬＥＤ灯取付け具と、を備え、前記ＬＥＤ灯取付け具は、既設の蛍光灯設置用器具に装着可能な装着部と、ＬＥＤ灯の一部を嵌合可能な嵌合部を有し、前記装着部は、二つの挟持材を有するとともに、前記蛍光灯設置用器具のうち、直管型蛍光灯が取り外された後の反射板、又は直管型蛍光灯用ソケットが取り外されたソケット係止具を、前記二つの挟持材で挟むことによって、前記既設の蛍光灯設置用器具に装着可能なものである。
【発明の効果】
【００１５】
本願発明のＬＥＤ灯取付け具には次のような効果がある。
（１）蛍光灯や白熱灯などの灯具を設置するための既設取付け具を廃棄物として出さないので、廃棄物処理場に負担を与えない。
（２）ＬＥＤ灯を着脱可能に把持可能な開口部を備え、ＬＥＤ灯を強固に把持することができる構造となっているので、ＬＥＤ灯が熱によって変形しても落下しない。
（３）既設の蛍光灯用取付け器具に装着するための装着部を備えるので、取付け作業が極めて容易である。
（４）装着部が、二枚の挟持板とこれを支持する台座を有しているので、この二枚の挟持板で既設取付け具を挟み込むだけで装着可能となり、さらに容易に取付け作業を行うことができる。
（５）直管型のＬＥＤ灯に限らず、任意の形状のＬＥＤ灯を取付けることができるので、室内インテリアの選択肢が広がる。
【００１６】
本願発明のＬＥＤ照明装置及びＬＥＤ灯には、前記した本願発明のＬＥＤ灯取付け具の効果に加え、ＬＥＤが長寿命であることから、長期にわたって灯具を交換する必要がないという効果もある。
【図面の簡単な説明】
【００１７】
【図１】本願発明のＬＥＤ灯取付け具にＬＥＤ灯が取付けられた状態を示す全体斜視図。
【図２】ＬＥＤ灯取付け具にＬＥＤ灯を取付ける状態を示す斜視図。
【図３】ＬＥＤ灯の内部状態を示す斜視図。
【図４】ＬＥＤ灯取付け具及びＬＥＤ灯が照明台に取付けられた状態を示す斜視図。
【図５】ＬＥＤ灯取付け具を備えた照明器具の全体斜視図。
【図６】既設の蛍光灯が設置された状態を示す全体斜視図。
【図７】ＬＥＤ灯取付け具の構造を示す分解斜視図。
【図８】（ａ）は、台座と二枚の挟持板を既設取付け具に装着した状態を示す斜視図。（ｂ）は、（ａ）の状態に反射板を取付けた状態を示す斜視図。
【図９】（ａ）は、既設の蛍光灯が取付けられた状態を示す平面図。（ｂ）は、既設の蛍光灯が取付けられた状態を示す断面図。
【図１０】（ａ）は、蛍光灯とソケットを取り外した状態を示す平面図。（ｂ）は、蛍光灯とソケットを取り外した状態を示す断面図。
【図１１】（ａ）は、反射板を取り外した状態を示す平面図。（ｂ）は、反射板を取り外した状態を示す断面図。
【図１２】（ａ）は、装着部をフックに取付けた状態を示す平面図。（ｂ）は、装着部をフックに取付けた状態を示す断面図。
【図１３】（ａ）は、反射板を取付けた状態を示す平面図。（ｂ）は、反射板を取付けた状態を示す断面図。
【図１４】（ａ）は、灯具用開口部及びＬＥＤ灯を取付けた状態を示す平面図。（ｂ）は、灯具用開口部及びＬＥＤ灯を取付けた状態を示す断面図。
【図１５】本願発明のＬＥＤ灯取付け具を反射板に直接装着する実施形態を説明する斜視図。
【図１６】本願発明のＬＥＤ灯取付け具に球形のＬＥＤ灯を取付けた実施形態を説明する断面図。
【発明を実施するための形態】
【００１８】
（実施形態１）
本願発明のＬＥＤ灯と、ＬＥＤ灯取付け具と、ＬＥＤ照明装置の第１の実施形態を図に基づいて説明する。図１は、ＬＥＤ灯取付け具１にＬＥＤ灯２が取付けられた照明器具を、室内の天井部に取付けた状態を示す斜視図である。
【００１９】
図１に示すように、ＬＥＤ灯取付け具１には嵌合部３が設けられており、この嵌合部３にＬＥＤ灯２の端部が挿入され嵌合している。
図２は、ＬＥＤ灯取付け具１にＬＥＤ灯２を嵌合させる状態を示す図である。図２に示すように、嵌合部３内にＬＥＤ灯２の先端を挿入して嵌合させるものであり、このように奥行きのある空間を備える嵌合部３によってＬＥＤ灯２を把持するので、従来の端子による把持に比べ堅固に把持可能であり、ＬＥＤ灯２が多少の変形（曲がりや折れなど）を生じても嵌合部３から外れて落下することはない。
なお図２では、ＬＥＤ灯取付け具１の嵌合部３の中にＬＥＤ灯２の先端を挿入して嵌合させているが、ＬＥＤ灯２の先端を開口させ、ＬＥＤ灯取付け具１の嵌合部３をこの開口部に嵌合する形状として、ＬＥＤ灯２の先端開口部の中に嵌合部３を挿入して嵌合させてもよい。
【００２０】
また、ＬＥＤ灯取付け具１には天井部に装着するための装着部４が設けられており、この装着部４（図では平板状の部材）にあるボルト孔をボルトで縫って天井に装着固定する。この固定方法はボルトに限らず、他の従来技術を用いて固定することも可能で、取付ける場所（取り付け部）も天井部に限らず壁面など室内の任意の場所を選択できる。
【００２１】
図３は、ＬＥＤ灯２の内部状態を示す図である。図に示すようにＬＥＤ灯２は、背面枠５に前面カバー６が組み合わされてなる筒状のケースを備え、背面枠５の内面側（ケース内面側）に基板が固定され、この基板にＬＥＤ７が設置されて照明灯本体が形成されている。図では一枚の基板が固定され一列にＬＥＤ７が設置されているが、一つの筒状ケース内に二枚以上の基板を固定し二列以上にＬＥＤ７を設置してもよい。もちろん、一つの基板に設置するＬＥＤ７の数は任意に選定できる。
【００２２】
背面枠５の両脇にはウィング板が設けられ、この二枚のウィング板と前面カバー６で形成される断面が、ちょうど嵌合部３内に収められる。この両脇のウィング板は省略することも可能で、その場合は背面枠５の曲線部と前面カバー６で形成される断面を嵌合部３内に収めることになる。なお図では、背面枠５の曲線部と前面カバー６で形成される断面が扁平した楕円形となっているが、内部に基板とＬＥＤ７を備える空間さえあれば任意の断面形状とすることができる。
【００２３】
背面枠５は、ＬＥＤ灯２そのものが変形しないよう所定の強度を備える材質とし、金属板などが採用される。さらに、ＬＥＤ７の放熱を促すため、背面枠５の材質としてアルミニウム、銅といった高熱伝導材を採用することがより望ましい。同様に、ＬＥＤ７が設置される基板の材質も、アルミニウム、銅といった高熱伝導材を採用することが望ましい。
また、背面枠５の内面側（基板が固定される側）は、ＬＥＤ７からの発光を反射しやすいように、反射膜や反射材を設けるといった表面加工がされている。一方、前面カバー６はＬＥＤ７からの発光を透過しやすい材質により形成され、その形状もＬＥＤ７からの照射光が面状に照射されやすい形状に加工されている。
【００２４】
図３に示すように、前面カバー６の両端にある突起部が、背面枠５のウィング板根元部分に設けられた溝に嵌合して、前面カバー６と背面枠５が連結されており、前面カバー６の突起部が背面枠５の溝の中をスライドして（長手方向に係止部を移動させて）取り外すこともできる。また、前面カバー６を断面視内側に変形させて、突起部を背面枠５の溝から外し、背面枠５から前面カバー６を取り外すこともできる。背面枠５を設置した状態のまま前面カバー６を取り外すことができると、ＬＥＤ７のメンテナンスが容易となり好適である。
【００２５】
ＬＥＤ灯取付け具１は、ＬＥＤ灯２の両端の位置で天井部に装着され、ＬＥＤ灯２を両端から把持することができる。なお、このＬＥＤ灯２は図１に示すような直管に限らず曲がり管を使用することも可能であり、要は管状（つまり、長手方向を有する形状）のものであってＬＥＤ灯２の両端をＬＥＤ灯取付け具１に嵌合させることができるものであれば使用できる。
【００２６】
ＬＥＤ灯取付け具１は、天井や壁面など室内の一部に装着する場合に限らず、図４に示すように移動可能な照明台８に装着することもできる。
【００２７】
（実施形態２）
本願発明のＬＥＤ灯と、ＬＥＤ灯取付け具と、ＬＥＤ照明装置の第２の実施形態を図に基づいて説明する。なお、ＬＥＤ灯２は実施形態と同様の構造であるため、ここではその説明を省略する。
図５は、ＬＥＤ灯取付け具１にＬＥＤ灯２が取付けられた照明器具が、事務所などの室内の天井部にある既設灯具設置用器具９に取付けられた状態を示す斜視図である。図６に示すように、既設灯具設置用器具９は、本来、直管型の蛍光灯１０を取付けるために天井内に埋め込み設置されたものである。図６に示す既設状態から蛍光灯１０及び口金（狭義の口金、ソケット、及びこれら周辺部材を含めた広義の口金のことで、「口金部材」といった意味のものである）を取り外して、ＬＥＤ灯取付け具１を装着し、これにＬＥＤ灯２を取付けて、図５の状態となる。以下、この口金（広義）に代えて、口金（広義）のうちの具体的部材として「ソケット１１」と記載する場合もある。なお図６に示すように、ソケットと口金（狭義）は、口金（狭義）のピンをソケットのガイド溝１１ａに差し込むことで連結されている。
【００２８】
図７は、ＬＥＤ灯取付け具１の構造を示す斜視図である。ＬＥＤ灯取付け具１は、板状の天板１２の一面（図では下面）に背板１３が固定され、この背板１３の外周に沿って外周板１４が固定され、板状の天板１２の他面（図では上面）には台座５が取付けられ、この台座１５の先端（上端）には下挟持板１６と上挟持板１７が支持固定されている。
【００２９】
背板１３は、天板１２に対して略垂直（垂直含む）となるように（図では水平の天板１２に対して鉛直下向きとなるように）、天板１２の下面側に突き当てられて固定されている。背板１３と天板１２との固定は、溶接などの従来技術を用いることができ、あるいは背板１３の上側一部を垂直に折り曲げて天板１２と平行となる面を作り、その平行面と天板１２とをボルト止めすることで脱着容易とすることもできる。
【００３０】
外周板１４は、背板１３に対して略垂直（垂直含む）となるように（図では鉛直の外周板１４に対して図の手前側に向くように）、背板１３の外周のうち天板１２に当接している箇所を除いた外縁部分に沿って固定されている。
【００３１】
天板１２、背板１３、外周板１４によって形成される内部空間が、ＬＥＤ灯２の先端を挿入して把持しうる嵌合部３であり、外周板１４の板幅が大きいほどＬＥＤ灯２の挿入長が長くなり、より堅固に把持可能となる。また、外周板１４と嵌合部３に挿入されたＬＥＤ灯２をビスやボルトなどで固定すれば、さらに堅固に把持可能となる。このように嵌合部３によってＬＥＤ灯２の一部を堅固に把持することができれば、例えば直管型のＬＥＤ灯２の場合、ＬＥＤ灯２の両端をＬＥＤ灯取付け具１で支持しなくとも、ＬＥＤ灯２の一端をＬＥＤ灯取付け具１で支持すれば足りる。
【００３２】
図８（ａ）は、ＬＥＤ灯取付け具１のうち台座１５、下挟持板１６、及び上挟持板１７からなる装着部を既設灯具設置用器具９の一部に装着した状態を示す図である。前記したように、既設灯具設置用器具９は、直管型の蛍光灯１０を取付けるために天井内に埋め込み設置されたものであり、奥側（上方）に設置基板１８（図９（ｂ））、内側（設置基板１８よりも下方）に反射板１９が配置された２層構造となっている。なお、図８（ａ）は説明のため、反射板１９を取り外した状態を示している。
設置基板１８には、蛍光灯１０のソケット１１（例えば、Ｇ１３の口金用）を係止するためのフック状係止具（以下、「ソケット係止具２０」という。）が設けられている。ソケット係止具２０は左右一個ずつを一組とし、蛍光灯１０の両端に一組ずつ設置されている。すなわち、二灯用の蛍光灯照明器具の場合、ソケット係止具２０は四組（フック数は八個）設置されている。ソケット係止具２０の水平姿勢の板状部材に、ソケット１１に水平方向に設けられた溝部をスライドさせながら嵌合させ、ソケット１１を固定する。
【００３３】
ソケット係止具２０からソケット１１を取り外したのが、図８（ａ）の左側の状態である。この状態で、左右のソケット係止具２０の水平部材をＬＥＤ灯取付け具１の下挟持板１６（図７）と上挟持板１７（図７）で挟みこみ、二枚の挟持板をボルトで締め付けると、ＬＥＤ灯取付け具１は設置基板１８に固定される（図８（ａ）の右側の状態）。あらかじめ下挟持板１６と上挟持板１７の間隔がソケット係止具２０の水平部材の板厚より若干広くなる程度に固定しておき、この二枚の挟持板の隙間内にソケット係止具２０の水平部材をスライドさせながら嵌合させ、ＬＥＤ灯取付け具１を設置基板１８に固定させることもできる。なお、下挟持板１６と上挟持板１７は板状の部材に限らず、対象部材を挟みこむことができれば肉厚の六面体とするなど他の立体形状でも構わない。
【００３４】
ＬＥＤ灯取付け具１のうち台座１５、下挟持板１６、及び上挟持板１７からなる装着部を設置基板１８（図９（ｂ））のソケット係止具２０に取付けた後に、反射板１９を取付ける（図８（ｂ）の状態）。この反射板１９の挿入口２１から突出した台座１５の下端に、嵌合部３を形成する天板１２、背板１３、及び外周板１４を取付ける。台座１５の下端にはネジ孔が切られており、このネジ孔を利用して天板１２をボルト固定する。この取付け手段には、ボルト固定方式のほか、接着方式や磁力方式など従来の技術を利用できる。
【００３５】
図８（ｂ）では、一つの天板１２に対して二つの台座１５を取付けているが、これは既設の蛍光灯１０が二灯設置された例で説明しているためであり、既設照明器具が一灯用であれば一つの天板１２に対して一つの台座１５を取付け、既設照明器具が三灯用であれば一つの天板１２に対して三つの台座１５を取付けることができる。なお、天板１２の長さは、台座１５の個数や設置間隔に応じた長さとする。
【００３６】
反射板１９には蛍光灯１０用のソケット１１を通過させるための挿入口２１が設けられており、図８（ｂ）に示すように、ＬＥＤ灯取付け具１の台座１５もこの挿入口２１を通過することができる形状となっている。
【００３７】
（実施形態２の設置例）
実施形態１を設置する手順の一例について、図９（ａ）（ｂ）〜図１４（ａ）（ｂ）に基づいて説明する。
図９（ａ）は既設の蛍光灯１０が取付けられた状態を示す平面図、図９（ｂ）はその断面図である。図９（ｂ）に示すように、既設状態では天井内に既設灯具設置用器具９が埋め込まれ、奥側から順に設置基板１８、反射板１９が配置されている。この設置基板１８には片側二箇所（両端で四箇所）に左右一組のソケット係止具２０が設けられており、このソケット係止具２０に係止させて蛍光灯１０のソケット１１が取付けられている。蛍光灯１０は、両端にある端子をソケット１１に差し込んで把持されている。
【００３８】
図１０（ａ）は図９（ａ）の状態から蛍光灯１０とソケット１１を取り外した状態を示す平面図、図１０（ｂ）はその断面図である。図１０（ａ）に示すように、蛍光灯１０のソケット１１を取り外した後には反射板１９に設けられた挿入口２１が現れる。
【００３９】
図１１（ａ）は図１０（ａ）の状態から反射板１９を取り外した状態を示す平面図、図１１（ｂ）はその断面図である。図１１（ａ）（ｂ）に示すように、設置基板１８に設けられた左右一組のソケット係止具２０が露出する。このとき、ＬＥＤ灯２用の配線工事やＡＣ／ＤＣ変換器（図示しない）の設置工事を行う。
【００４０】
図１２（ａ）は図１１（ａ）の状態から装着部（台座１５と下挟持板１６と上挟持板１７）を設置基板１８のソケット係止具２０に取付けた状態を示す平面図、図１２（ｂ）はその断面図である。図１２（ｂ）に示すように、ソケット係止具２０にある水平部材を下挟持板１６と上挟持板１７で挟みこみ、これら二枚の挟持板をボルトで締め付けることによって、装着部はソケット係止具２０に取付けられる。
【００４１】
図１３（ａ）は図１２（ａ）の状態から反射板１９を取付けた状態を示す平面図、図１３（ｂ）はその断面図である。図１３（ｂ）に示すように、台座１５は反射板１９に設けられた挿入口２１を通過して下向きに突出している。
【００４２】
図１４（ａ）は図１３（ａ）の状態から嵌合部３（天板１２と背板１３と外周板１４）及びＬＥＤ灯２を取付けた状態を示す平面図、図１４（ｂ）はその断面図である。図１４（ｂ）に示すように、台座１５に天板１２をボルト固定してＬＥＤ灯取付け具１が完成され、これに前記配線工事による配線に接続されたＬＥＤ灯２が取付けられる。天板１２を台座１５に取付ける際には、あらかじめ嵌合部３にＬＥＤ灯２の先端を挿入しておく。なおこの場合、装着部をソケット係止具２０に対してスライド可能とし、天板１２を台座１５に取付けた後に、嵌合部３にＬＥＤ灯２の先端を挿入することもできる。
【００４３】
（実施形態３）
本願発明のＬＥＤ灯取付け具及び照明器具の第３の実施形態を図１５に基づいて説明する。本実施形態は、ＬＥＤ灯取付け具１を反射板１９に直接装着する場合を説明するものであり、その基本的構造や使用方法は実施形態１、２と共通する。
【００４４】
図１５に示すように、反射板１９に二つの挿入口２１が比較的接近して設けられている場合、これら挿入口２１の間にある細い部材を利用してＬＥＤ灯取付け具１を取付けることができる。この細い部材を下挟持板１６と上挟持板１７で挟みこみ、これら二枚の挟持板をボルトで締め付け、台座１５に天板１２をボルト固定し嵌合部３（天板１２と背板１３と外周板１４）を取付ける。
【００４５】
なお、反射板１９に新たにボルト挿入用のボルト孔を設け、これを利用してＬＥＤ灯取付け具１をボルト固定してもよい。具体的には、反射板１９にボルト挿入用のボルト孔を設けるとともに天板１２にもボルト孔を設け、天板１２のボルト孔と反射板１９のボルト孔を合わせてボルト連結し、反射板１９にＬＥＤ灯取付け具１を固定する。この場合には、天板１２及びボルトが装着部となり、台座１５と下挟持板１６と上挟持板１７を省略することもできる。
【００４６】
また、ＬＥＤ灯取付け具１は、反射板１９に限らず既設灯具設置用器具９を構成する他の部材にボルト固定することもできる。さらに、ボルト固定方式のほか、接着方式や磁力方式など従来の技術を利用して、ＬＥＤ灯取付け具１を既設灯具設置用器具９の一部に固定することもできる。
【００４７】
（実施形態４）
本願発明のＬＥＤ灯取付け具及び照明器具の第４の実施形態を図１６に基づいて説明する。本実施形態は、ＬＥＤ灯２の形状が異なる場合を説明するものであり、その基本的構造や使用方法は実施形態１乃至３と共通する。
【００４８】
図１６に示すように、ＬＥＤ灯取付け具１は、直管型のほか球形のＬＥＤ灯２を把持することもできる。この場合、天板１２、背板１３、外周板１４によって形成される嵌合部３は、球形のＬＥＤ灯２の一部を覆うような内部空間であり、とくに背板１３は球面に沿った形状を呈する。球形のＬＥＤ灯２は従来の電球と同様に雄ネジ構造を備え、嵌合部３の一部に設けられた雌ネジ部分と螺合して、ＬＥＤ灯取付け具１に把持される。
【００４９】
ＬＥＤ灯取付け具１は必ずしも照明器具の両端に装着する必要はなく、どちらか一方にのみＬＥＤ灯取付け具１を装着し、球形のＬＥＤ灯２を取付けてもよい。また、ＬＥＤ灯２は球形のものに限らず任意の形状のものとすることができる。
【産業上の利用可能性】
【００５０】
本願発明のＬＥＤ灯、ＬＥＤ灯取付け具、及びこれを備えた照明器具は、職場事務所内の照明器具に限らず、家庭や学校などの公共施設、工場、観光施設などのなど、様々な場所に設置される照明器具に利用することができる。
【符号の説明】
【００５１】
１    ＬＥＤ灯取付け具
２    ＬＥＤ灯
３    嵌合部
４    装着部
５    背面枠
６    前面カバー
７    ＬＥＤ
８    照明台
９    既設灯具設置用器具
１０    蛍光灯
１１    ソケット
１１ａ ガイド溝
１２    天板
１３    背板
１４    外周板
１５    台座
１６    下挟持板
１７    上挟持板
１８    設置基板
１９    反射板
２０    ソケット係止具
２１    挿入口
【図１】
2011029141.tif 000003
【図２】
2011029141.tif 000004
【図３】
2011029141.tif 000005
【図４】
2011029141.tif 000006
【図５】
2011029141.tif 000007
【図６】
2011029141.tif 000008
【図７】
2011029141.tif 000009
【図８】
2011029141.tif 000010
【図９】
2011029141.tif 000011
【図１０】
2011029141.tif 000012
【図１１】
2011029141.tif 000013
【図１２】
2011029141.tif 000014
【図１３】
2011029141.tif 000015
【図１４】
2011029141.tif 000016
【図１５】
2011029141.tif 000017
【図１６】
2011029141.tif 000018